(57)【要約】【課題】従来の表示装置では、異なる画像同士が重畳する範囲を軽減することが困難である。【解決手段】表示面９と、第１の画像を形成する第１の画素７1及び第２の画像を形成する第２の画素７2を少なくとも含み、表示面９側に向けて光を射出する複数の画素７と、第１の画素７1から表示面９を介して第１の範囲に及ぶ前記光を通すとともに、第２の画素７2から表示面９を介して第２の範囲に及ぶ前記光を通す第１のフィルタと、前記第１のフィルタと表示面９との間に設けられ、第１の画素７1から前記第１の範囲に及ぶ前記光のうち前記第１の範囲内で前記第１の範囲よりも狭い第３の範囲に及ぶ前記光を通すとともに、第２の画素７2から前記第２の範囲に及ぶ前記光のうち前記第２の範囲内で前記第２の範囲よりも狭い第４の範囲に及ぶ前記光を通す第２のフィルタと、を有することを特徴とする電気光学装置。【選択図】図７
2009103953.tif 000002
【特許請求の範囲】
【請求項１】
表示面と、
第１の画像を形成する第１の画素及び第２の画像を形成する第２の画素を少なくとも含み、前記表示面側に向けて光を射出する複数の画素と、
前記第１の画素から前記表示面を介して第１の範囲に及ぶ前記光を通すとともに、前記第２の画素から前記表示面を介して第２の範囲に及ぶ前記光を通す第１のフィルタと、
前記第１のフィルタよりも前記表示面側に設けられ、前記第１の画素から前記第１の範囲に及ぶ前記光のうち前記第１の範囲内で前記第１の範囲よりも狭い第３の範囲に及ぶ前記光を通すとともに、前記第２の画素から前記第２の範囲に及ぶ前記光のうち前記第２の範囲内で前記第２の範囲よりも狭い第４の範囲に及ぶ前記光を通す第２のフィルタと、を有することを特徴とする電気光学装置。
【請求項２】
前記第１のフィルタ及び前記第２のフィルタのいずれか一方がカラーフィルタで構成されており、
複数の前記第１の画素のそれぞれから前記第１の範囲に及ぶ各前記光の色、及び複数の前記第２の画素のそれぞれから前記第２の範囲に及ぶ各前記光の色を規定する第３のフィルタを有することを特徴とする請求項１に記載の電気光学装置。
【請求項３】
前記第１のフィルタ及び前記第２のフィルタの他方は、前記複数の画素のそれぞれから射出された前記光の一部を前記表示面側に通す開口部が設けられた遮光膜で構成されていることを特徴とする請求項２に記載の電気光学装置。
【請求項４】
前記遮光膜は、前記光を吸収する材料で構成されていることを特徴とする請求項３に記載の電気光学装置。
【請求項５】
前記第１のフィルタは、前記遮光膜で構成されているとともに、前記複数の画素よりも前記表示面側に設けられており、
前記第３のフィルタは、前記複数の画素と前記第１のフィルタとの間に設けられていることを特徴とする請求項３又は４に記載の電気光学装置。
【請求項６】
前記複数の画素の前記画素ごとに駆動される液晶を有することを特徴とする請求項５に記載の電気光学装置。
【請求項７】
前記複数の画素の前記画素ごとに駆動される液晶を有することを特徴とする請求項３又は４に記載の電気光学装置。
【請求項８】
前記第１のフィルタは、前記遮光膜で構成されているとともに、前記液晶の前記表示面側とは反対側に設けられており、
前記第３のフィルタは、前記液晶と前記第２のフィルタとの間に設けられていることを特徴とする請求項７に記載の電気光学装置。
【請求項９】
前記液晶は、一対の基板間に、前記一対の基板によって保持された状態で介在しており、
前記第１のフィルタ及び前記第３のフィルタは、前記一対の基板間に介在していることを特徴とする請求項６又は８に記載の電気光学装置。
【請求項１０】
前記第１のフィルタは、前記カラーフィルタで構成されているとともに、前記液晶よりも前記表示面側に設けられており、
前記第３のフィルタは、前記液晶の前記表示面側とは反対側に設けられていることを特徴とする請求項７に記載の電気光学装置。
【請求項１１】
前記第１のフィルタは、前記遮光膜で構成されているとともに、前記液晶の前記表示面側とは反対側に設けられており、
前記第３のフィルタは、前記第１のフィルタの前記表示面側とは反対側に設けられていることを特徴とする請求項７に記載の電気光学装置。
【請求項１２】
前記液晶は、一対の基板間に、前記一対の基板によって保持された状態で介在しており、
前記第１のフィルタ及び前記第２のフィルタは、前記一対の基板間に介在していることを特徴とする請求項１０又は１１に記載の電気光学装置。
【請求項１３】
請求項１乃至１２のいずれか一項に記載の電気光学装置を表示部として備えたことを特徴とする電子機器。
【発明の詳細な説明】
【技術分野】
【０００１】
本発明は、電気光学装置及び電子機器に関する。
【背景技術】
【０００２】
従来、電気光学装置の１つとして、複数の方向から見たときに、それぞれの視方向ごとに異なる画像を表示（以下、指向性表示と呼ぶ）することができる表示装置が知られている。このような表示装置としては、開口部と遮光部とを有するバリアを介して複数の視点のそれぞれに、互いに異なる画像を表示することができるものがある（例えば、特許文献１参照）。
【０００３】
【特許文献１】特開２００７−１０８５０１号公報（第４頁〜第５頁、図１８）
【発明の開示】
【発明が解決しようとする課題】
【０００４】
ここで、画像を形成する表示パネルと上記のバリアとを有する表示装置で、２つの方向に指向性表示を行う仕組みについて、断面図を用いて説明する。表示パネル６００は、図３９（ａ）に示すように、第１の画像を表示する第１の画素６０１と、第２の画像を表示する第２の画素６０３とを有している。バリア６０５の遮光部６０７は、第１の画素６０１の一部６０１ａと、第２の画素６０３の一部６０３ａとに重なっている。つまり、遮光部６０７同士間に位置する開口部６０９は、第１の画素６０１の他部６０１ｂと、第２の画素６０３の他部６０３ｂとに重なる領域に設けられている。
【０００５】
第１の画素６０１から射出された光は、開口部６０９を介して第１の範囲６１１に及ぶ。また、第２の画素６０３から射出された光は、図３９（ｂ）に示すように、開口部６０９を介して第２の範囲６１３に及ぶ。つまり、第１の範囲６１１内に視点がある場合、その視点から第１の画像が視認され得る。また、第２の範囲６１３内に視点がある場合、その視点から第２の画像が視認され得る。なお、第１の範囲６１１及び第２の範囲６１３は、図３９（ｃ）に示すように、互いに重なる範囲６１５を有している。範囲６１５内にある視点からは、第１の画像と第２の画像とが重畳した状態で視認される。
第１の範囲６１１から範囲６１５を除いた範囲６１９ａ内にある視点からは、第１の画像だけが視認され得る。同様に、第２の範囲６１３から範囲６１５を除いた範囲６１９ｂ内にある視点からは、第２の画像だけが視認され得る。範囲６１９ａ及び範囲６１９ｂは、それぞれ、適視範囲６１９ａ及び適視範囲６１９ｂと呼ばれる。
【０００６】
ところで、遮光部６０７同士間の開口部６０９を通過する光は、遮光部６０７と開口部６０９との境界部で回折現象を生じる。回折現象を生じた光は、回折光６１７となって範囲６１５よりも外側に広がってしまう。このことは、第１の画像と第２の画像とが重畳する範囲６１５が広がることを意味する。この結果、適視領域６１９ａと適視領域６１９ｂとのそれぞれが狭くなってしまう。
つまり、従来の表示装置では、異なる画像同士が重畳する範囲を軽減することが困難であるという未解決の課題がある。
【課題を解決するための手段】
【０００７】
本発明は、上述の課題の少なくとも一部を解決するためになされたものであり、以下の形態又は適用例として実現され得る。
【０００８】
［適用例１］表示面と、第１の画像を形成する第１の画素及び第２の画像を形成する第２の画素を少なくとも含み、前記表示面側に向けて光を射出する複数の画素と、前記第１の画素から前記表示面を介して第１の範囲に及ぶ前記光を通すとともに、前記第２の画素から前記表示面を介して第２の範囲に及ぶ前記光を通す第１のフィルタと、前記第１のフィルタよりも前記表示面側に設けられ、前記第１の画素から前記第１の範囲に及ぶ前記光のうち前記第１の範囲内で前記第１の範囲よりも狭い第３の範囲に及ぶ前記光を通すとともに、前記第２の画素から前記第２の範囲に及ぶ前記光のうち前記第２の範囲内で前記第２の範囲よりも狭い第４の範囲に及ぶ前記光を通す第２のフィルタと、を有することを特徴とする電気光学装置。
【０００９】
適用例１の電気光学装置は、表示面と、複数の画素と、第１のフィルタと、第２のフィルタとを有している。複数の画素には、少なくとも、第１の画素と第２の画素とが含まれる。第１のフィルタは、第１の画素から表示面を介して第１の範囲に及ぶ光を通すとともに、第２の画素から表示面を介して第２の範囲に及ぶ光を通す。つまり、第１の画素から表示面側に向けて射出された光は、第１のフィルタによって第１の範囲に及ぶ。また、第２の画素から表示面側に向けて射出された光は、第１のフィルタによって第２の範囲に及ぶ。これにより、第１の範囲からは、第１の画素によって形成される第１の画像が視認され、第２の範囲からは、第２の画素によって形成される第２の画像が視認され得る。つまり、適用例１の電気光学装置では、少なくとも２つの方向に指向性表示を行うことができる。
【００１０】
ここで、第１の範囲に及ぶ光が第１のフィルタを通るときに回折する光は、第１の範囲よりも外側に広がる。また、第２の範囲に及ぶ光が第１のフィルタを通るときに回折する光は、第２の範囲よりも外側に広がる。
適用例１では、第１のフィルタよりも表示面側に、第２のフィルタが設けられている。第２のフィルタは、第１の画素から第１の範囲に及ぶ光のうち第３の範囲に及ぶ光を通すとともに、第２の画素から第２の範囲に及ぶ光のうち第４の範囲に及ぶ光を通す。第３の範囲は、第１の範囲内にあり、第１の範囲よりも狭い。第４の範囲は、第２の範囲内にあり、第２の範囲よりも狭い。つまり、第１の範囲に及ぶ光や第２の範囲に及ぶ光が第１のフィルタを通るときに回折する光は、第２のフィルタによって遮られる。
従って、適用例１では、第１のフィルタを通るときに回折する光が表示面を経て射出されることを軽減することができる。この結果、第１の画像と第２の画像とが重畳する範囲を軽減することができる。
【００１１】
［適用例２］上記の電気光学装置であって、前記第１のフィルタ及び前記第２のフィルタのいずれか一方がカラーフィルタで構成されており、複数の前記第１の画素のそれぞれから前記第１の範囲に及ぶ各前記光の色、及び複数の前記第２の画素のそれぞれから前記第２の範囲に及ぶ各前記光の色を規定する第３のフィルタを有することを特徴とする電気光学装置。
【００１２】
適用例２の電気光学装置は、第３のフィルタを有している。第３のフィルタは、複数の第１の画素のそれぞれから第１の範囲に及ぶ各光の色、及び複数の第２の画素のそれぞれから第２の範囲に及ぶ各光の色を規定する。これにより、第１の画像及び第２の画像のそれぞれをカラー表示することができる。
また、適用例２では、第１のフィルタ及び第２のフィルタのいずれか一方がカラーフィルタで構成されている。つまり、第３のフィルタによって色が規定された各光は、カラーフィルタを通ってから表示面を経て射出される。適用例２では、色が規定された光がカラーフィルタを通るので、カラー表示の彩度を向上させることができる。
【００１３】
［適用例３］上記の電気光学装置であって、前記第１のフィルタ及び前記第２のフィルタの他方は、前記複数の画素のそれぞれから射出された前記光の一部を前記表示面側に通す開口部が設けられた遮光膜で構成されていることを特徴とする電気光学装置。
【００１４】
適用例３では、第１のフィルタ及び第２のフィルタの他方が遮光膜で構成されている。遮光膜には、各画素から射出された光を表示面側に通す開口部が設けられている。これにより、例えば第１のフィルタが遮光膜で構成される場合には、第１の画素から射出された光が開口部を通って第１の範囲に及ぶとともに、第２の画素から射出された光が開口部を通って第２の範囲に及ぶ。また、例えば第２のフィルタが遮光膜で構成される場合には、第１の画素から第１の範囲に及ぶ光のうち第３の範囲に及ぶ光が開口部を通るとともに、第２の画素から第２の範囲に及ぶ光のうち第４の範囲に及ぶ光が開口部を通る。
適用例３では、第３のフィルタによって色が規定された各光は、遮光膜の開口部を通ってから表示面を経て射出される。これにより、例えば第１のフィルタ及び第２のフィルタの双方がカラーフィルタで構成されている場合に比較して、カラーフィルタを通る回数が少なくなるので、表示面から射出される光の明度が損なわれることを軽減することができる。
【００１５】
［適用例４］上記の電気光学装置であって、前記遮光膜は、前記光を吸収する材料で構成されていることを特徴とする電気光学装置。
【００１６】
適用例４では、遮光膜が光を吸収する材料で構成されているので、遮光膜に及ぶ光を吸収することができる。
【００１７】
［適用例５］上記の電気光学装置であって、前記第１のフィルタは、前記遮光膜で構成されているとともに、前記複数の画素よりも前記表示面側に設けられており、前記第３のフィルタは、前記複数の画素と前記第１のフィルタとの間に設けられていることを特徴とする電気光学装置。
【００１８】
適用例５では、第１のフィルタが遮光膜で構成されているとともに複数の画素よりも表示面側に設けられており、第３のフィルタが複数の画素と第１のフィルタとの間に設けられている。各画素から表示面側に向けて射出された各光は、第３のフィルタによって色が規定される。第３のフィルタによって色が規定された光のうちで第１の画素からの光は、第１のフィルタである遮光膜の開口部を通って第１の範囲に及ぶ。このとき、第１の範囲に及ぶ光は、第２のフィルタであるカラーフィルタによって第３の範囲に及ぶ光として表示面を経て射出される。また、第３のフィルタによって色が規定された光のうちで第２の画素からの光は、第１のフィルタである遮光膜の開口部を通って第２の範囲に及ぶ。このとき、第２の範囲に及ぶ光は、第２のフィルタであるカラーフィルタによって第４の範囲に及ぶ光として表示面を経て射出される。
【００１９】
第１の範囲に及ぶ光が遮光膜の開口部を通るときに回折する光は、第１の範囲よりも外側に広がる。また、第２の範囲に及ぶ光が遮光膜の開口部を通るときに回折する光は、第２の範囲よりも外側に広がる。そして、遮光膜の開口部を通るときに回折する光は、第２のフィルタであるカラーフィルタによって吸収される。従って、第１のフィルタである遮光膜の開口部を通るときに回折する光を、第２のフィルタであるカラーフィルタで軽減することができる。この結果、第１の画像と第２の画像とが重畳する範囲を軽減することができる。
【００２０】
［適用例６］上記の電気光学装置であって、前記複数の画素の前記画素ごとに駆動される液晶を有することを特徴とする電気光学装置。
【００２１】
適用例６の電気光学装置は、画素ごとに駆動される液晶を有している。これにより、液晶に入射された光を画素ごとに変調することができる。また、第１のフィルタが液晶よりも表示面側に設けられ、第３のフィルタが液晶と第１のフィルタとの間に設けられる。このため、液晶に入射された光を画素ごとに変調してから、この光の色を第３のフィルタで規定することができる。
画素ごとに変調されてから色が規定された光のうち、第１の画素からの光は、第１のフィルタ及び第２のフィルタを通ることによって、表示面を経て第３の範囲に及ぶ。また、第２の画素からの光は、第１のフィルタ及び第２のフィルタを通ることによって、表示面を経て第４の範囲に及ぶ。
【００２２】
［適用例７］上記の電気光学装置であって、前記複数の画素の前記画素ごとに駆動される液晶を有することを特徴とする電気光学装置。
【００２３】
適用例７の電気光学装置は、画素ごとに駆動される液晶を有している。これにより、液晶に入射された光を画素ごとに変調することができる。
【００２４】
［適用例８］上記の電気光学装置であって、前記第１のフィルタは、前記遮光膜で構成されているとともに、前記液晶の前記表示面側とは反対側に設けられており、前記第３のフィルタは、前記液晶と前記第２のフィルタとの間に設けられていることを特徴とする電気光学装置。
【００２５】
適用例８では、第１のフィルタが遮光膜で構成されているとともに液晶の表示面側とは反対側に設けられており、第３のフィルタが液晶と第２のフィルタとの間に設けられている。第１のフィルタである遮光膜の開口部を通って液晶の第１の画素に入射された光は、第１の画素から第１の範囲に及ぶ。第１のフィルタである遮光膜の開口部を通って液晶の第２の画素に入射された光は、第２の画素から第２の範囲に及ぶ。このとき、各第１の画素から第１の範囲に及ぶ光、及び各第２の画素から第２の範囲に及ぶ光は、それぞれ、第３のフィルタによって色が規定される。そして、第３のフィルタによって色が規定されて第１の範囲に及ぶ光は、第２のフィルタであるカラーフィルタによって第３の範囲に及ぶ光として表示面を経て射出される。また、第３のフィルタによって色が規定されて第２の範囲に及ぶ光は、第２のフィルタであるカラーフィルタによって第４の範囲に及ぶ光として表示面を経て射出される。
【００２６】
第１の画素に入射された光がこの第１の画素で回折する光は、第１の範囲よりも外側に広がる。また、第２の画素に入射された光がこの第２の画素で回折する光は、第２の範囲よりも外側に広がる。そして、第１の画素や第２の画素で回折する光は、第２のフィルタであるカラーフィルタによって吸収される。従って、各画素で回折する光を、第２のフィルタであるカラーフィルタで軽減することができる。この結果、第１の画像と第２の画像とが重畳する範囲を軽減することができる。
【００２７】
［適用例９］上記の電気光学装置であって、前記液晶は、一対の基板間に、前記一対の基板によって保持された状態で介在しており、前記第１のフィルタ及び前記第３のフィルタは、前記一対の基板間に介在していることを特徴とする電気光学装置。
【００２８】
適用例９では、液晶が一対の基板間に、これらの一対の基板によって保持された状態で介在し、第１のフィルタ及び第３のフィルタが一対の基板間に介在している。このため、第１のフィルタが一対の基板の外側に配置される場合に比較して、液晶と第１のフィルタとの間の距離を短縮することができる。従って、指向性表示を行う各方向における適視範囲を拡大することができる。
【００２９】
［適用例１０］上記の電気光学装置であって、前記第１のフィルタは、前記カラーフィルタで構成されているとともに、前記液晶よりも前記表示面側に設けられており、前記第３のフィルタは、前記液晶の前記表示面側とは反対側に設けられていることを特徴とする電気光学装置。
【００３０】
適用例１０では、第１のフィルタがカラーフィルタで構成されているとともに液晶よりも表示面側に設けられており、第３のフィルタが液晶の表示面側とは反対側に設けられている。液晶の各画素には、第３のフィルタによって色が規定された光が入射される。第３のフィルタによって色が規定されてから第１の画素に入射された光は、第１の画素から第１のフィルタであるカラーフィルタを通って第１の範囲に及ぶ。第３のフィルタによって色が規定されてから第２の画素に入射された光は、第２の画素から第１のフィルタであるカラーフィルタを通って第２の範囲に及ぶ。このとき、各第１の画素から第１の範囲に及ぶ光は、第２のフィルタである遮光膜の開口部を通って第３の範囲に及ぶ光として表示面を経て射出される。各第２の画素から第２の範囲に及ぶ光は、第２のフィルタである遮光膜の開口部を通って第４の範囲に及ぶ光として表示面を経て射出される。
【００３１】
第１の画素に入射された光がこの第１の画素で回折する光は、第１の範囲よりも外側に広がる。また、第２の画素に入射された光がこの第２の画素で回折する光は、第２の範囲よりも外側に広がる。そして、第１の画素や第２の画素で回折する光は、第２のフィルタである遮光膜によって遮られる。従って、各画素で回折する光を、第２のフィルタである遮光膜で軽減することができる。この結果、第１の画像と第２の画像とが重畳する範囲を軽減することができる。
【００３２】
［適用例１１］上記の電気光学装置であって、前記第１のフィルタは、前記遮光膜で構成されているとともに、前記液晶の前記表示面側とは反対側に設けられており、前記第３のフィルタは、前記第１のフィルタの前記表示面側とは反対側に設けられていることを特徴とする電気光学装置。
【００３３】
適用例１１では、第１のフィルタが遮光膜で構成されているとともに液晶の表示面側とは反対側に設けられており、第３のフィルタが第１のフィルタの表示面側とは反対側に設けられている。液晶の第１の画素には、第３のフィルタによって色が規定されてから第１のフィルタである遮光膜の開口部を通って第１の範囲に及ぶ光が入射される。液晶の第２の画素には、第３のフィルタによって色が規定されてから第１のフィルタである遮光膜の開口部を通って第２の範囲に及ぶ光が入射される。このとき、各第１の画素に入射された光は、第２のフィルタであるカラーフィルタによって第３の範囲に及ぶ光として表示面を経て射出される。各第２の画素に入射された光は、第２のフィルタであるカラーフィルタを通って第４の範囲に及ぶ光として表示面を経て射出される。
【００３４】
第３のフィルタによって色が規定されてから遮光膜の開口部を通って第１の範囲に及ぶ光がこの開口部を通るときに回折する光は、第１の範囲よりも外側に広がる。また、第２の範囲に及ぶ光が遮光膜の開口部を通るときに回折する光は、第２の範囲よりも外側に広がる。そして、遮光膜の開口部を通るときに回折する光は、第２のフィルタであるカラーフィルタによって吸収される。従って、第１のフィルタである遮光膜の開口部を通るときに回折する光を、第２のフィルタであるカラーフィルタで軽減することができる。この結果、第１の画像と第２の画像とが重畳する範囲を軽減することができる。
【００３５】
［適用例１２］上記の電気光学装置であって、前記液晶は、一対の基板間に、前記一対の基板によって保持された状態で介在しており、前記第１のフィルタ及び前記第２のフィルタは、前記一対の基板間に介在していることを特徴とする電気光学装置。
【００３６】
適用例１２では、液晶が一対の基板間に、これらの一対の基板によって保持された状態で介在し、第１のフィルタ及び第２のフィルタが一対の基板間に介在している。このため、第１のフィルタ及び第２のフィルタが一対の基板の外側に配置される場合に比較して、電気光学装置の薄型化が図られる。
【００３７】
［適用例１３］上記の電気光学装置を表示部として備えたことを特徴とする電子機器。
【００３８】
適用例１３の電子機器は、表示部としての電気光学装置が、表示面と、複数の画素と、第１のフィルタと、第２のフィルタとを有している。複数の画素には、少なくとも、第１の画素と第２の画素とが含まれる。第１のフィルタは、第１の画素から表示面を介して第１の範囲に及ぶ光を通すとともに、第２の画素から表示面を介して第２の範囲に及ぶ光を通す。つまり、第１の画素から表示面側に向けて射出された光は、第１のフィルタによって第１の範囲に及ぶ。また、第２の画素から表示面側に向けて射出された光は、第１のフィルタによって第２の範囲に及ぶ。これにより、第１の範囲からは、第１の画素によって形成される第１の画像が視認され、第２の範囲からは、第２の画素によって形成される第２の画像が視認され得る。つまり、この電気光学装置では、少なくとも２つの方向に指向性表示を行うことができる。
ここで、第１の範囲に及ぶ光が第１のフィルタを通るときに回折する光は、第１の範囲よりも外側に広がる。また、第２の範囲に及ぶ光が第１のフィルタを通るときに回折する光は、第２の範囲よりも外側に広がる。
この電気光学装置では、第１のフィルタと表示面との間に、第２のフィルタが設けられている。第２のフィルタは、第１の画素から第１の範囲に及ぶ光のうち第３の範囲に及ぶ光を通すとともに、第２の画素から第２の範囲に及ぶ光のうち第４の範囲に及ぶ光を通す。第３の範囲は、第１の範囲内にあり、第１の範囲よりも狭い。第４の範囲は、第２の範囲内にあり、第２の範囲よりも狭い。つまり、第１の範囲に及ぶ光や第２の範囲に及ぶ光が第１のフィルタを通るときに回折する光は、第２のフィルタによって遮られる。
従って、この電気光学装置では、第１のフィルタを通るときに回折する光が表示面を経て射出されることを軽減することができる。この結果、第１の画像と第２の画像とが重畳する範囲を軽減することができる。そして、適用例１３の電子機器は、第１の画像と第２の画像とが重畳する範囲を軽減することができる電気光学装置を表示部として備えているので、第１の画像と第２の画像とが重畳する範囲の軽減が図られる。
【発明を実施するための最良の形態】
【００３９】
実施形態について、電気光学装置の１つである表示装置を例に、図面を参照しながら説明する。
第１実施形態における表示装置１は、図１に示すように、表示パネル３と、照明装置５とを有している。
【００４０】
ここで、表示パネル３には、複数の画素７が設定されている。複数の画素７は、表示領域８内で、図中のＸ方向及びＹ方向に配列しており、Ｘ方向を行方向とし、Ｙ方向を列方向とするマトリクスＭを構成している。表示装置１は、照明装置５から表示パネル３に入射された光を、表示パネル３に設定されている複数の画素７から選択的に表示面９を介して表示パネル３の外に射出することで、表示面９に画像を表示することができる。なお、表示領域８とは、画像が表示され得る領域である。図１では、構成をわかりやすく示すため、画素７が誇張され、且つ画素７の個数が減じられている。
【００４１】
表示パネル３は、図１中のＡ−Ａ線における断面図である図２に示すように、液晶パネル１１と、偏光板１３ａ及び１３ｂと、カラーフィルタ基板１４とを有している。
液晶パネル１１は、駆動素子基板１５と、対向基板１７と、液晶１９とを有している。
駆動素子基板１５には、表示面９側すなわち液晶１９側に、複数の画素７のそれぞれに対応して、後述するスイッチング素子などが設けられている。
【００４２】
対向基板１７は、駆動素子基板１５よりも表示面９側で駆動素子基板１５に対向し、且つ駆動素子基板１５との間に隙間を有した状態で設けられている。対向基板１７には、表示パネル３における表示面９の裏面に相当する面である底面２３側すなわち液晶１９側に、後述する対向電極などが設けられている。
【００４３】
液晶１９は、駆動素子基板１５及び対向基板１７の間に介在しており、表示パネル３の周縁よりも内側で表示領域８を囲むシール材２５によって、駆動素子基板１５及び対向基板１７の間に封止されている。なお、本実施形態では、液晶１９として、ＴＮ（Twisted Nematic）型が採用されている。
【００４４】
カラーフィルタ基板１４は、対向基板１７よりも表示面９側で対向基板１７に対向した状態で設けられている。
偏光板１３ａは、駆動素子基板１５よりも底面２３側に設けられている。偏光板１３ｂは、カラーフィルタ基板１４よりも表示面９側に設けられている。表示装置１では、偏光板１３ａ及び１３ｂは、偏光板１３ａにおける光の透過軸の方向と、偏光板１３ｂにおける光の透過軸の方向とが、互いに直交する方向に設定されている。偏光板１３ａ及び１３ｂは、それぞれ、透過軸の方向に偏光軸を有する光を透過させることができる。
【００４５】
照明装置５は、表示パネル３の底面２３側に設けられており、導光板３１と、光源３３とを有している。導光板３１は、図２で見て表示パネル３の下側に設けられており、表示パネル３の底面２３に対向する光射出面３５ｂを有している。
光源３３は、例えば、ＬＥＤ（Light Emitting Diode）や冷陰極管などが採用され、図２で見て導光板３１の側面３５ａの右方に設けられている。
【００４６】
光源３３からの光は、導光板３１の側面３５ａに入射される。導光板３１に入射された光は、導光板３１の中で反射を繰り返しながら光射出面３５ｂから射出される。光射出面３５ｂから射出された光は、表示パネル３の底面２３から、偏光板１３ａを介して表示パネル３に入射される。なお、導光板３１には、必要に応じて、光射出面３５ｂに拡散板が設けられ、底面３５ｃに反射板が設けられる。
【００４７】
表示パネル３に設定されている複数の画素７は、それぞれ、表示面９から射出する光の色が、図３に示すように、赤系（Ｒ）、緑系（Ｇ）及び青系（Ｂ）のうちの１つに設定されている。つまり、マトリクスＭを構成する複数の画素７は、Ｒの光を射出する画素７ｒと、Ｇの光を射出する画素７ｇと、Ｂの光を射出する画素７ｂとを含んでいる。
【００４８】
ここで、Ｒの色は、純粋な赤の色相に限定されず、橙等を含む。Ｇの色は、純粋な緑の色相に限定されず、青緑や黄緑を含む。Ｂの色は、純粋な青の色相に限定されず、青紫や青緑等を含む。他の観点から、Ｒの色を呈する光は、光の波長のピークが、可視光領域で５７０ｎｍ以上の範囲にある光であると定義され得る。また、Ｇの色を呈する光は、光の波長のピークが５００ｎｍ〜５６５ｎｍの範囲にある光であると定義され得る。Ｂの色を呈する光は、光の波長のピークが４１５ｎｍ〜４９５ｎｍの範囲にある光であると定義され得る。
【００４９】
マトリクスＭでは、Ｙ方向に沿って並ぶ複数の画素７が、１つの画素列４１を構成している。１つの画素列４１内の各画素７は、光の色がＲ、Ｇ及びＢのうちの１つに設定されている。つまり、マトリクスＭは、複数の画素７ｒがＹ方向に配列した画素列４１ｒと、複数の画素７ｇがＹ方向に配列した画素列４１ｇと、複数の画素７ｂがＹ方向に配列した画素列４１ｂとを有している。そして、マトリクスＭでは、画素列４１ｒ、画素列４１ｇ及び画素列４１ｂが、この順でＸ方向に沿って反復して並んでいる。
【００５０】
また、表示装置１では、マトリクスＭを構成する複数の画素７は、図４に示すように、複数の第１の画素７1と、複数の第２の画素７2とにわけられている。表示装置１は、照明装置５から表示パネル３に入射された光を、複数の第１の画素７1から選択的に表示面９を介して表示パネル３の外に射出することで、表示面９に第１の画像を表示することができる。また、表示装置１は、照明装置５から表示パネル３に入射された光を、複数の第２の画素７2から選択的に表示面９を介して表示パネル３の外に射出することで、表示面９に第２の画像を表示することができる。
【００５１】
なお、第１の画像と第２の画像とは、互いに異なる画像であることと、互いに同じ画像であることとが問われない。また、以下においては、画素７という表記と、画素７ｒ、７ｇ及び７ｂという表記と、第１の画素７1及び第２の画素７2という表記とが、適宜、使いわけられる。また、第１の画素７1及び第２の画素７2のそれぞれに対してＲ、Ｇ及びＢが識別される場合、第１の画素７ｒ1、７ｇ1及び７ｂ1、並びに、第２の画素７ｒ2、７ｇ2及び７ｂ2という表記が用いられる。
【００５２】
表示装置１では、第１の画素７1と第２の画素７2とが、Ｘ方向に交互に並んでいる。１つの画素列４１は、複数の第１の画素７1又は複数の第２の画素７2によって構成されている。つまり、マトリクスＭは、複数の第１の画素７1がＹ方向に沿って配列した画素列４１1と、複数の第２の画素７2がＹ方向に沿って配列した画素列４１2とを有している。なお、以下においては、画素列４１という表記と、画素列４１ｒ、画素列４１ｇ及び画素列４１ｂという表記と、画素列４１1及び画素列４１2という表記とが、適宜、使いわけられる。また、画素列４１1及び画素列４１2のそれぞれに対してＲ、Ｇ及びＢが識別される場合、画素列４１ｒ1、４１ｇ1及び４１ｂ1、並びに、画素列４１ｒ2、４１ｇ2及び４１ｂ2という表記が用いられる。
【００５３】
表示装置１では、マトリクスＭを構成する複数の画素７は、Ｘ方向に隣り合う第１の画素７1及び第２の画素７2の２つの画素７ごとに、これらの２つの画素７を１組とする複数組の画素群４３にわけられている。各画素群４３での第１の画素７1及び第２の画素７2の並び順は、複数組の画素群４３間で統一している。本実施形態では、第１の画素７1と第２の画素７2とが、図４で見て、Ｘ方向に左側から右側に向かってこの順で並んでいる。なお、第１の画素７1及び第２の画素７2の並び順は、複数組の画素群４３間で統一していれば、いずれが左側でも右側でもよい。
マトリクスＭにおいて、複数組の画素群４３は、図５に示すように、Ｘ方向及びＹ方向のそれぞれの方向に沿って並んでいる。つまり、複数組の画素群４３は、マトリクス状に配列している。
【００５４】
ここで、液晶パネル１１の駆動素子基板１５及び対向基板１７、並びにカラーフィルタ基板１４のそれぞれの構成について、詳細を説明する。
駆動素子基板１５は、図４中のＣ−Ｃ線における断面図である図６に示すように、第１基板５１を有している。第１基板５１は、例えばガラスなどの光透過性を有する材料で構成されており、表示面９側に向けられた第１面５３ａと、底面２３側に向けられた第２面５３ｂとを有している。
【００５５】
第１基板５１の第１面５３ａには、ゲート絶縁層５５が設けられている。ゲート絶縁層５５の表示面９側には、絶縁層５７が設けられている。絶縁層５７の表示面９側には、配向膜５９が設けられている。
また、駆動素子基板１５には、各画素７に対応して、スイッチング素子の１つであるＴＦＴ（Thin Film Transistor）素子６１と、画素電極６３とが、第１基板５１の第１面５３ａ側に設けられている。
ＴＦＴ素子６１は、ゲート電極１６５と、半導体層１６７と、ソース電極１６９と、ドレイン電極１７１とを有している。
【００５６】
ゲート電極１６５は、第１基板５１の第１面５３ａに設けられており、ゲート絶縁層５５によって表示面９側から覆われている。なお、ゲート絶縁層５５の材料としては、例えば、ＳｉＯやＳｉＮなどの光透過性を有する材料が採用され得る。
半導体層１６７は、例えばアモルファスシリコンで構成されており、ゲート絶縁層５５を挟んでゲート電極１６５に対向する位置に設けられている。半導体層１６７には、図示しないソース領域と、ドレイン領域とが設けられている。
【００５７】
ソース電極１６９は、ゲート絶縁層５５の表示面９側に設けられており、一部が半導体層１６７のソース領域に重なっている。
ドレイン電極１７１は、ゲート絶縁層５５の表示面９側に設けられており、一部が半導体層１６７のドレイン領域に重なっている。
ＴＦＴ素子６１は、絶縁層５７によって表示面９側から覆われている。なお、絶縁層５７の材料としては、例えば、ＳｉＯ、ＳｉＮ、アクリル系の樹脂などの光透過性を有する材料が採用され得る。
【００５８】
画素電極６３は、例えばＩＴＯ（Indium Tin Oxide）等の酸化導電膜や、Ｍｇ及びＡｇ等の金属が光透過性を有するように薄膜化したものなどの光透過性を有する材料で構成され、絶縁層５７の表示面９側に設けられている。画素電極６３は、絶縁層５７に設けられたコンタクトホール１７３を介してドレイン電極１７１につながっている。
配向膜５９は、例えばポリイミドなどの光透過性を有する材料で構成されており、絶縁層５７及び画素電極６３を表示面９側から覆っている。なお、配向膜５９には、配向処理が施されている。
【００５９】
対向基板１７は、第２基板６５を有している。第２基板６５は、例えばガラスなどの光透過性を有する材料で構成されており、表示面９側に向けられた外向面６６ａと、底面２３側に向けられた対向面６６ｂとを有している。
第２基板６５の対向面６６ｂには、遮光膜６７が設けられている。遮光膜６７は、例えば、カーボンブラックなどを含有する樹脂や、クロムなどの光吸収性が高い材料で構成され得る。遮光膜６７は、Ｙ方向に並ぶ複数の画素７間にわたって設けられている。
【００６０】
遮光膜６７の底面２３側には、樹脂層６９が設けられている。樹脂層６９は、光透過性を有する樹脂で構成されており、シート状の樹脂を貼り付けたり、液状の樹脂をスピンコート法などで膜状に配置してから固化させたりすることで形成され得る。
樹脂層６９の底面２３側には、各画素７を区画する光吸収層７１が領域７２にわたって設けられている。表示装置１では、各画素７は、光吸収層７１によって囲まれた領域であると定義され得る。光吸収層７１は、光吸収性を有する材料で構成され、樹脂層６９の底面２３側に、平面視で格子状に設けられている。
【００６１】
樹脂層６９の底面２３側には、光吸収層７１によって囲まれた各領域、すなわち各画素７の領域を底面２３側から覆うカラーフィルタ７３が設けられている。
ここで、カラーフィルタ７３は、入射された光のうち所定の波長域の光を透過させることができる。カラーフィルタ７３は、画素７ｒ、画素７ｇ及び画素７ｂごとに異なる色に着色された樹脂などで構成されている。画素７ｒに対応するカラーフィルタ７３は、Ｒの光を透過させることができる。画素７ｇに対応するカラーフィルタ７３はＧの光を透過させ、画素７ｂに対応するカラーフィルタ７３はＢの光を透過させることができる。なお、以下において、各カラーフィルタ７３に対してＲ、Ｇ及びＢが識別される場合に、カラーフィルタ７３ｒ、７３ｇ及び７３ｂという表記が用いられる。
【００６２】
光吸収層７１及びカラーフィルタ７３の底面２３側には、オーバーコート層７５が設けられている。オーバーコート層７５は、光透過性を有する樹脂などで構成されており、光吸収層７１及びカラーフィルタ７３を底面２３側から覆っている。
オーバーコート層７５の底面２３側には、対向電極７７が設けられている。対向電極７７は、例えばＩＴＯ等の酸化導電膜や、Ｍｇ及びＡｇ等の金属が光透過性を有するように薄膜化したものなどの光透過性を有する材料で構成されている。対向電極７７は、マトリクスＭを構成する複数の画素７に、平面視で重なる領域に設けられている。なお、対向電極７７は、図示しない共通線につながっている。
対向電極７７の底面２３側には、配向膜７９が設けられている。配向膜７９は、例えばポリイミドなどの光透過性を有する材料で構成されており、対向電極７７を底面２３側から覆っている。配向膜７９には、配向処理が施されている。
【００６３】
なお、前述したＴＦＴ素子６１は、図６で見て左側の領域７２内に設けられており、ドレイン電極１７１が領域７２内から画素７の領域内に延長されている。Ｘ方向に隣り合う画素７間において、ゲート電極１６５同士は、図示しないゲート線によって接続されている。また、Ｙ方向に隣り合う画素７間において、ソース電極１６９同士は、図示しないデータ線によって接続されている。
【００６４】
駆動素子基板１５及び対向基板１７の間に介在する液晶１９は、配向膜５９と配向膜７９との間に介在している。表示装置１では、図２に示すシール材２５は、図６に示す第１基板５１の第１面５３ａと、第２基板６５の対向面６６ｂとによって挟持されている。つまり、表示装置１では、液晶１９は、第１基板５１及び第２基板６５によって保持されている。なお、シール材２５は、配向膜５９及び配向膜７９の間に設けられていてもよい。この場合、液晶１９は、駆動素子基板１５及び対向基板１７に保持されているとみなされ得る。
【００６５】
カラーフィルタ基板１４は、第３基板８１を有している。第３基板８１は、例えばガラスなどの光透過性を有する材料で構成されており、表示面９側に向けられた外向面８２ａと、底面２３側に向けられた対向面８２ｂとを有している。
第３基板８１の対向面８２ｂには、光吸収層８３が領域８４にわたって、平面視で格子状に設けられている。また、対向面８２ｂには、光吸収層８３によって囲まれた各領域８６を底面２３側から覆う第２カラーフィルタ８５が設けられている。
【００６６】
光吸収層８３及び第２カラーフィルタ８５の底面２３側には、オーバーコート層８７が設けられている。オーバーコート層８７は、光透過性を有する樹脂などで構成されており、光吸収層８３及び第２カラーフィルタ８５を底面２３側から覆っている。
上記の構成を有するカラーフィルタ基板１４は、対向面８２ｂが第２基板６５の外向面６６ａに向けられた状態で、オーバーコート層８７が外向面６６ａに、光透過性を有する接着剤８９を介して貼り付けられている。
【００６７】
ここで、遮光膜６７は、図６中のＤ−Ｄ線における断面図である図７に示すように、画素群４３ごとに設けられている。つまり、対向基板１７は、複数の遮光膜６７を有している。各遮光膜６７は、画素群４３を構成する第１の画素７1及び第２の画素７2間にまたがる領域に設けられている。
また、各遮光膜６７は、遮光膜６７と画素群４３との平面図である図８に示すように、Ｙ方向に並ぶ複数組の画素群４３間にわたって設けられている。つまり、１つの遮光膜６７は、Ｙ方向に配列する複数組の画素群４３に対応している。なお、図８では、構成をわかりやすく示すため、各遮光膜６７にハッチングが施されている。
【００６８】
そして、Ｘ方向に隣り合う遮光膜６７同士間には、開口部９１が設けられている。換言すれば、複数の遮光膜６７は、マトリクスＭを構成する複数の画素７間にわたって一連した遮光膜に、Ｘ方向に隣り合う画素群４３間に開口部９１を設けた構成を有していると表現され得る。
【００６９】
対向電極７７は、図７に示すように、複数の画素７間にわたって一連した状態で設けられており、複数の画素７間にわたって共通して機能する。各画素電極６３は、平面視で周縁部が領域７２内に及んでいる。
また、第２カラーフィルタ８５は、それぞれ、画素群４３ごとに設けられている。なお、以下において、各第２カラーフィルタ８５に対してＲ、Ｇ及びＢが識別される場合に、第２カラーフィルタ８５ｒ、８５ｇ及び８５ｂという表記が用いられる。
各第２カラーフィルタ８５の色は、Ｘ方向に１つの画素群４３を挟んで隣り合う第１の画素７1及び第２の画素７2に対応するカラーフィルタ７３と同じ色に設定されている。換言すれば、各第２カラーフィルタ８５は、対応する画素群４３のカラーフィルタ７３とは異なる色に設定されている。
【００７０】
例えば、第２カラーフィルタ８５ｇは、液晶１９並びにカラーフィルタ７３及び第２カラーフィルタ８５を模式的に示す断面図である図９に示すように、カラーフィルタ７３ｂ及びカラーフィルタ７３ｒに対応している。そして、第２カラーフィルタ８５ｇは、対応する画素群４３を挟んで隣り合う第１の画素７1及び第２の画素７2のカラーフィルタ７３ｇと同じ色に設定されている。
【００７１】
上記の構成を有する表示装置１では、照明装置５から表示パネル３に光を照射した状態で液晶１９の配向状態を画素７ごとに変化させることにより、表示が制御される。液晶１９の配向状態は、ＴＦＴ素子６１のＯＦＦ状態及びＯＮ状態を切り替えることによって変化し得る。
【００７２】
図１０（ａ）は、ＴＦＴ素子６１がＯＦＦ状態のときの偏光状態を示す図であり、図１０（ｂ）は、ＴＦＴ素子６１がＯＮ状態のときの偏光状態を示す図である。
表示装置１では、偏光板１３ａの透過軸の方向９３は、図１０（ａ）及び図１０（ｂ）に示すように、偏光板１３ｂの透過軸の方向９５に直交している。配向膜５９の配向方向９７は、透過軸の方向９５に直交している。配向膜７９の配向方向９９は、透過軸の方向９５に沿っている。
なお、図１０（ａ）及び図１０（ｂ）において、Ｘ'方向及びＹ'方向は、Ｘ'方向が平面視で偏光板１３ｂの透過軸の方向９５に沿った方向を示し、Ｙ'方向がＸＹ平面内でＸ'方向に直交する方向を示している。Ｘ'方向及びＹ'方向は、ＸＹ平面内で互いに直交する任意の２方向である。
【００７３】
照明装置５から偏光板１３ａに入射された入射光は、偏光板１３ａの透過軸の方向９３すなわちＹ'方向に沿った偏光軸を有する直線偏光１０３として液晶１９に入射される。
液晶１９に入射された直線偏光１０３は、ＴＦＴ素子６１がＯＦＦ状態のときに、図１０（ａ）に示すように、液晶１９の旋光性によってＸ'方向に沿った偏光軸を有する直線偏光１０５として偏光板１３ｂに向けて射出される。偏光板１３ｂに向けて射出された直線偏光１０５は、偏光軸の方向が偏光板１３ｂの透過軸の方向９５に沿っているため、偏光板１３ｂを透過する。
【００７４】
他方で、ＴＦＴ素子６１がＯＮ状態のときに、直線偏光１０３は、図１０（ｂ）に示すように、偏光状態が維持されたまま直線偏光１０３として偏光板１３ｂに向けて射出される。偏光板１３ｂに向けて射出された直線偏光１０３は、偏光軸の方向が偏光板１３ｂの透過軸の方向９５に対して直交しているため、偏光板１３ｂによって吸収される。
【００７５】
表示装置１では、ＴＦＴ素子６１がＯＦＦ状態のときに表示面９から光が射出され、ＴＦＴ素子６１がＯＮ状態のときに表示面９からの光の射出が遮断される所謂ノーマリホワイトの表示モードが採用されている。しかしながら、表示モードは、ノーマリホワイトに限定されず、ノーマリブラックも採用され得る。偏光板１３ａの透過軸の方向９３をＸ'方向に合わせ、偏光板１３ｂの透過軸の方向９５をＹ'方向に合わせれば、ノーマリブラックが達成され得る。
【００７６】
ここで、表示装置１は、前述したように、複数の遮光膜６７を有している。Ｘ方向に隣り合う遮光膜６７同士間には、開口部９１が設けられている。照明装置５から各画素７に入射された光は、開口部９１を介して表示面９に向けて射出される。
このとき、第１の画素７ｒ1、７ｇ1及び７ｂ1のそれぞれから表示面９側に向けて射出された光１０７ａは、複数組の画素群４３及び複数の遮光膜６７を模式的に示す断面図である図１１に示すように、各開口部９１を介して第１の範囲１０９に及ぶ。
また、第２の画素７ｒ2、７ｇ2及び７ｂ2のそれぞれから表示面９側に向けて射出された光１０７ｂは、各開口部９１を介して第２の範囲１１１に及ぶ。なお、図１１に示す断面は、図８中のＥ−Ｅ線における断面に相当している。
【００７７】
第２カラーフィルタ８５が省略されている場合には、第１の範囲１０９からは、開口部９１を介して第１の画素７1からの光１０７ａが視認され得る。第２の範囲１１１からは、開口部９１を介して第２の画素７2からの光１０７ｂが視認され得る。第１の範囲１０９内に視点があれば、複数の第１の画素７1からの光１０７ａによって形成される第１の画像が視認され得る。第２の範囲１１１内に視点があれば、複数の第２の画素７2からの光１０７ｂによって形成される第２の画像が視認され得る。つまり、表示装置１では、複数の遮光膜６７は、第１の画素７1から第１の範囲１０９に及ぶ光１０７ａを通すとともに、第２の画素７2から第２の範囲１１１に及ぶ光１０７ｂを通す機能を有している。これにより、第１の画像を第１の範囲１０９に表示し、第２の画像を、第１の範囲１０９とは異なる第２の範囲１１１に表示する所謂指向性表示を行うことができる。
【００７８】
第１の範囲１０９及び第２の範囲１１１は、互いに重複する範囲１１３を有している。この範囲１１３からは、第１の画像と第２の画像とが重畳した状態で視認される。第１の範囲１０９から範囲１１３を除いた範囲１１５ａ（以下、適視範囲１１５ａと呼ぶ）からは、第１の画像だけが視認され得る。また、第２の範囲１１１から範囲１１３を除いた範囲１１５ｂ（以下、適視範囲１１５ｂと呼ぶ）からは、第２の画像だけが視認され得る。
【００７９】
表示装置１は、複数の第１の画素７1から射出された光１０７ａが第１の範囲１０９の両端のそれぞれにおいて交差し、複数の第２の画素７2から射出された光１０７ｂが第２の範囲１１１の両端のそれぞれにおいて交差するように構成されている。これは、Ｘ方向に隣り合う遮光膜６７同士間の間隔Ｐａを、Ｘ方向に隣り合う画素群４３同士間の間隔Ｐｂよりも短く設定することによって実現され得る。
これにより、適視範囲１１５ａ内にある任意の視点から視認される光の量を、複数の第１の画素７1間で同等にすることができる。同様に、適視範囲１１５ｂ内にある任意の視点から視認される光の量を、複数の第２の画素７2間で同等にすることができる。
【００８０】
ところで、表示装置１には、複数組の画素群４３並びに複数の遮光膜６７及び第２カラーフィルタ８５を模式的に示す断面図である図１２に示すように、複数の遮光膜６７と表示面９との間に第２カラーフィルタ８５が設けられている。従って、各画素７から開口部９１を介して表示面９側に向けて射出された光１０７ａ及び１０７ｂは、第２カラーフィルタ８５を経て表示面９から液晶パネル１１の外側に射出される。
ここで、表示装置１において、各開口部９１のＸ方向における中点から、複数の第１の画素７1のそれぞれにおける中点を経て第１の範囲１０９に至る光１０７ａは、図１２に示すように、適視範囲１１５ａ内の視点Ｌａで交差する。同様に、各開口部９１のＸ方向における中点から、複数の第２の画素７2のそれぞれにおける中点を経て第２の範囲１１１に至る光１０７ｂは、適視範囲１１５ｂ内の視点Ｌｂで交差する。
【００８１】
これらの光１０７ａ及び１０７ｂ間で同じ色に着目すると、第１の画素７ｒ1から視点Ｌａに至る光１０７ａと、第２の画素７ｒ2から視点Ｌｂに至る光１０７ｂとは、交点Ｋｒで交差する。同様に、第１の画素７ｇ1から視点Ｌａに至る光１０７ａと、第２の画素７ｇ2から視点Ｌｂに至る光１０７ｂとが交点Ｋｇで交差し、第１の画素７ｂ1から視点Ｌａに至る光１０７ａと、第２の画素７ｂ2から視点Ｌｂに至る光１０７ｂとが交点Ｋｂで交差する。各第２カラーフィルタ８５は、各交点Ｋｒ、Ｋｇ及びＫｂに位置している。なお、Ｘ方向に隣り合う第２カラーフィルタ８５同士間の間隔Ｐｃは、遮光膜６７同士間の間隔Ｐａよりも短く設定されている。
【００８２】
第１の画素７1から開口部９１を介して本来的に第１の範囲１０９に及ぶべき光１０７ａは、図１３に示すように、第２カラーフィルタ８５を経て第３の範囲１１７に及ぶ。この第３の範囲１１７は、第１の範囲１０９内で第１の範囲１０９よりも狭い。
また、第２の画素７2から開口部９１を介して本来的に第２の範囲１１１に及ぶべき光１０７ｂは、第２カラーフィルタ８５を経て第４の範囲１１９に及ぶ。この第４の範囲１１９は、第２の範囲１１１内で第２の範囲１１１よりも狭い。
【００８３】
このとき、第１の画素７1から射出された光１０７ａは、図１３中のＦ部の拡大図である図１４に示すように、開口部９１を通るときに回折して回折光１２１ａを生じる。また、第２の画素７2から射出された光１０７ｂは、開口部９１を通るときに回折して回折光１２１ｂを生じる。回折光１２１ａは、前述した第１の範囲１０９よりも外側に広がる。回折光１２１ｂは、前述した第２の範囲１１１よりも外側に広がる。つまり、回折光１２１ａや回折光１２１ｂは、第１の画像と第２の画像とが重畳する範囲１１３を広げる方向に作用する。
【００８４】
ところが、表示装置１では、遮光膜６７よりも表示面９側に第２カラーフィルタ８５が設けられているので、回折光１２１ａや回折光１２１ｂは、第２カラーフィルタ８５によって吸収される。従って、表示装置１では、第１の画像と第２の画像とが重畳する範囲１１３を軽減することができる。
【００８５】
表示装置１において、複数の遮光膜６７が第１のフィルタに対応し、第２カラーフィルタ８５が第２のフィルタに対応し、カラーフィルタ７３が第３のフィルタに対応している。
表示装置１では、マトリクスＭを構成する複数の画素７の表示面９側に、複数の遮光膜６７が設けられている。複数の遮光膜６７の表示面９側には、第２カラーフィルタ８５が設けられている。第１の画素７1から表示面９側に射出された光１０７ａは、遮光膜６７同士間の開口部９１及び第２カラーフィルタ８５を経て第３の範囲１１７に及ぶ。また、第２の画素７2から表示面９側に射出された光１０７ｂは、遮光膜６７同士間の開口部９１及び第２カラーフィルタ８５を経て第４の範囲１１９に及ぶ。つまり、表示装置１では、第３の範囲１１７及び第４の範囲１１９に指向性表示を行うことができる。
【００８６】
また、表示装置１では、複数の遮光膜６７が、液晶１９を保持する第１基板５１と第２基板６５との間に設けられている。このため、複数の遮光膜６７が第１基板５１及び第２基板６５の外側に設けられる場合に比較して、複数の画素７と複数の遮光膜６７との間の距離を短縮することができる。従って、表示装置１では、適視範囲１１５ａや適視範囲１１５ｂを拡大することができる。
【００８７】
また、表示装置１では、複数の遮光膜６７と液晶１９との間に樹脂層６９が設けられている。樹脂層６９では、ガラスなどに比較して厚みを容易に調整することができる。従って、表示装置１では、樹脂層６９の厚みを調整することで、適視範囲１１５ａや適視範囲１１５ｂを調整しやすくすることができる。
なお、表示装置１では、複数の遮光膜６７と液晶１９との間に樹脂層６９が介在する構成を例に説明したが、表示装置１の構成はこれに限定されず、樹脂層６９に替えてガラス基板を適用した構成も採用され得る。また、表示装置１では、液晶１９よりも表示面９側にカラーフィルタ７３が位置し、液晶１９よりも底面２３側にＴＦＴ素子６１が位置する構成を例に説明したが、表示装置１の構成はこれに限定されない。表示装置１の構成としては、液晶１９よりも表示面９側にＴＦＴ素子６１が位置し、液晶１９よりも底面２３側にカラーフィルタ７３が位置する構成も採用され得る。
【００８８】
また、表示装置１は、カラーフィルタ７３と第２カラーフィルタ８５とを有している。各画素７から表示面９側に射出される光は、各カラーフィルタ７３によって色が規定される。そして、第１の画素７1から表示面９側に射出されるときに各カラーフィルタ７３によって色が規定され、第１の範囲１０９に及ぶ光１０７ａは、第２カラーフィルタ８５を経て第３の範囲１１７に及ぶ。第２の画素７2から表示面９側に射出されるときに各カラーフィルタ７３によって色が規定され、第２の範囲１１１に及ぶ光１０７ｂは、第２カラーフィルタ８５を経て第４の範囲１１９に及ぶ。つまり、表示装置１では、各カラーフィルタ７３によって色が規定された光１０７ａ及び１０７ｂが第２カラーフィルタ８５を通るので、カラー表示の彩度の向上が図られる。
【００８９】
なお、表示装置１では、複数の遮光膜６７が複数の画素７よりも表示面９側に設けられているが、複数の遮光膜６７の位置はこれに限定されず、複数の画素７よりも底面２３側であってもよい。
ここで、複数の遮光膜６７が複数の画素７よりも底面２３側に設けられる例を、第２実施形態として説明する。
【００９０】
第２実施形態における表示装置１０は、表示装置１０を図１中のＡ−Ａ線の位置に相当する位置で切断したときの断面図である図１５に示すように、表示パネル２０と、照明装置５とを有している。表示パネル２０は、液晶パネル３０を有している。液晶パネル３０では、対向基板１７が駆動素子基板１５よりも底面２３側に設けられている。そして、カラーフィルタ基板１４は、駆動素子基板１５よりも表示面９側で駆動素子基板１５に対向した状態で設けられている。
【００９１】
なお、表示装置１０は、液晶パネル３０において対向基板１７が駆動素子基板１５よりも底面２３側に設けられていること、及び各画素群４３に対する各遮光膜６７の位置が異なることを除いて、表示装置１と同様の構成を有している。従って、以下において、表示装置１０の各構成のうちで表示装置１と同様の構成については、同一の符号を付して詳細な説明を省略する。
【００９２】
液晶パネル３０では、駆動素子基板１５の第１基板５１は、図４中のＨ−Ｈ線における断面図である図１６に示すように、第１面５３ａが底面２３側に向けられ、第２面５３ｂが表示面９側に向けられている。対向基板１７の第２基板６５は、外向面６６ａが底面２３側に向けられ、対向面６６ｂが表示面９側に向けられている。
偏光板１３ａは、対向基板１７よりも底面２３側に設けられている。
【００９３】
また、液晶パネル３０では、各遮光膜６７は、遮光膜６７と画素群４３との平面図である図１７に示すように、Ｘ方向に隣り合う画素群４３同士間に設けられている。そして、画素群４３を構成する第１の画素７1及び第２の画素７2間にまたがる領域に、開口部９１が設けられている。なお、図１７では、構成をわかりやすく示すため、各遮光膜６７にハッチングが施されている。
【００９４】
表示装置１０では、照明装置５からの光は、遮光膜６７同士間の開口部９１を経て各画素７に入射される。
このとき、各開口部９１を経て第１の画素７ｒ1、７ｇ1及び７ｂ1のそれぞれに入射された光１０７ａは、複数組の画素群４３及び複数の遮光膜６７を模式的に示す断面図である図１８に示すように、第１の範囲１０９に及ぶ。
また、各開口部９１を経て第２の画素７ｒ2、７ｇ2及び７ｂ2のそれぞれに入射された光１０７ｂは、第２の範囲１１１に及ぶ。なお、図１８に示す断面は、図１７中のＪ−Ｊ線における断面に相当している。
【００９５】
第２カラーフィルタ８５が省略されている場合には、第１の範囲１０９からは、第１の画素７1からの光１０７ａが視認され得る。第２の範囲１１１からは、第２の画素７2からの光１０７ｂが視認され得る。つまり、表示装置１０では、複数の遮光膜６７は、第１の画素７1から第１の範囲１０９に及ぶ光１０７ａを通すとともに、第２の画素７2から第２の範囲１１１に及ぶ光１０７ｂを通す機能を有している。これにより、第１の画像を第１の範囲１０９に表示し、第２の画像を、第１の範囲１０９とは異なる第２の範囲１１１に表示する指向性表示を行うことができる。
なお、表示装置１０では、Ｘ方向に隣り合う遮光膜６７同士間の間隔Ｐａは、Ｘ方向に隣り合う画素群４３同士間の間隔Ｐｂよりも長く設定されている。
【００９６】
開口部９１を経て第１の画素７1に入射され、第１の画素７1から本来的に第１の範囲１０９に及ぶべき光１０７ａは、図１９に示すように、第２カラーフィルタ８５を経て第３の範囲１１７に及ぶ。
また、開口部９１を経て第２の画素７2に入射され、第２の画素７2から本来的に第２の範囲１１１に及ぶべき光１０７ｂは、第２カラーフィルタ８５を経て第４の範囲１１９に及ぶ。
【００９７】
このとき、第１の画素７1に入射された光１０７ａは、図１９中のＬ部の拡大図である図２０に示すように、第１の画素７1を通るときに回折して回折光１２１ａを生じる。また、第２の画素７2に入射された光１０７ｂは、第２の画素７2を通るときに回折して回折光１２１ｂを生じる。回折光１２１ａは、前述した第１の範囲１０９よりも外側に広がる。回折光１２１ｂは、前述した第２の範囲１１１よりも外側に広がる。つまり、回折光１２１ａや回折光１２１ｂは、第１の画像と第２の画像とが重畳する範囲１１３を広げる方向に作用する。
【００９８】
ところが、表示装置１０では、複数の画素７よりも表示面９側に第２カラーフィルタ８５が設けられているので、回折光１２１ａや回折光１２１ｂは、第２カラーフィルタ８５によって吸収される。従って、表示装置１０では、第１の画像と第２の画像とが重畳する範囲１１３を軽減することができる。
【００９９】
なお、表示装置１０において、複数の遮光膜６７が第１のフィルタに対応し、第２カラーフィルタ８５が第２のフィルタに対応し、カラーフィルタ７３が第３のフィルタに対応している。
第２実施形態における表示装置１０は、第１実施形態における表示装置１と同様の効果を奏する。なお、表示装置１０では、液晶１９よりも表示面９側にＴＦＴ素子６１が位置し、液晶１９よりも底面２３側にカラーフィルタ７３が位置する構成を例に説明したが、表示装置１０の構成はこれに限定されない。表示装置１０の構成としては、液晶１９よりも表示面９側にカラーフィルタ７３が位置し、液晶１９よりも底面２３側にＴＦＴ素子６１が位置する構成も採用され得る。
【０１００】
表示装置１や表示装置１０では、第２カラーフィルタ８５が複数の画素７よりも表示面９側に設けられているが、第２カラーフィルタ８５の位置はこれに限定されず、複数の画素７よりも底面２３側であってもよい。
ここで、視点Ｌａ及び第１の画素７ｒ1間を結ぶ線を底面２３側に延長した線Ｒ1と、視点Ｌｂ及び第２の画素７ｒ2間を結ぶ線を底面２３側に延長した線Ｒ2とは、図２１に示すように、交点Ｋｒ2で交差する。
【０１０１】
同様に、視点Ｌａ及び第１の画素７ｂ1間を結ぶ線を底面２３側に延長した線Ｂ1と、視点Ｌｂ及び第２の画素７ｂ2間を結ぶ線を底面２３側に延長した線Ｂ2とは、交点Ｋｂ2で交差する。
視点Ｌａ及び第１の画素７ｇ1間を結ぶ線を底面２３側に延長した線Ｇ1と、視点Ｌｂ及び第２の画素７ｇ2間を結ぶ線を底面２３側に延長した線Ｇ2とは、交点Ｋｇ2で交差する。
各第２カラーフィルタ８５は、各交点Ｋｒ2、Ｋｇ2及びＫｂ2に配置され得る。
【０１０２】
ここで、第２カラーフィルタ８５が複数の画素７よりも底面２３側に設けられる例を、第３実施形態として説明する。
第３実施形態における表示装置１００は、表示装置１００を図１中のＡ−Ａ線の位置に相当する位置で切断したときの断面図である図２２に示すように、表示パネル４０と、照明装置５とを有している。表示パネル４０は、液晶パネル１１とカラーフィルタ基板１４とを有している。表示パネル４０では、カラーフィルタ基板１４は、駆動素子基板１５よりも底面２３側で駆動素子基板１５に対向した状態で設けられている。
【０１０３】
なお、表示装置１００は、表示パネル４０においてカラーフィルタ基板１４が駆動素子基板１５よりも底面２３側に設けられていることを除いて、表示装置１と同様の構成を有している。従って、以下において、表示装置１００の各構成のうちで表示装置１と同様の構成については、同一の符号を付して詳細な説明を省略する。
【０１０４】
表示パネル４０では、カラーフィルタ基板１４の第３基板８１は、図４中のＣ−Ｃ線における断面図である図２３に示すように、外向面８２ａが底面２３側に向けられ、対向面８２ｂが表示面９側に向けられている。そして、カラーフィルタ基板１４は、対向面８２ｂが駆動素子基板１５に向けられた状態で、オーバーコート層８７が駆動素子基板１５における第１基板５１の第２面５３ｂに接着剤８９を介して貼り付けられている。
【０１０５】
第２カラーフィルタ８５は、液晶１９並びにカラーフィルタ７３及び第２カラーフィルタ８５を模式的に示す断面図である図２４に示すように、Ｘ方向に隣り合う２つの画素群４３ごとに設けられている。なお、図２４に示す断面は、図２３中のＭ−Ｍ線における断面に相当している。
【０１０６】
表示装置１００では、照明装置５からの光は、各第２カラーフィルタ８５を経て各画素７に入射される。
このとき、各第２カラーフィルタ８５を経て第１の画素７ｒ1、７ｇ1及び７ｂ1のそれぞれに入射された光１０７ａは、第２カラーフィルタ８５及び複数の画素７を模式的に示す断面図である図２５に示すように、第１の範囲１０９に及ぶ。
また、各第２カラーフィルタ８５を経て第２の画素７ｒ2、７ｇ2及び７ｂ2のそれぞれに入射された光１０７ｂは、第２の範囲１１１に及ぶ。
【０１０７】
複数の遮光膜６７が省略されている場合には、第１の範囲１０９からは、第１の画素７1からの光１０７ａが視認され得る。第２の範囲１１１からは、第２の画素７2からの光１０７ｂが視認され得る。つまり、表示装置１００では、カラーフィルタ７３は、第１の画素７1から第１の範囲１０９に及ぶ光１０７ａを通すとともに、第２の画素７2から第２の範囲１１１に及ぶ光１０７ｂを通す機能を有している。これにより、第１の画像を第１の範囲１０９に表示し、第２の画像を、第１の範囲１０９とは異なる第２の範囲１１１に表示する指向性表示を行うことができる。
【０１０８】
第２カラーフィルタ８５を経て第１の画素７1に入射され、第１の画素７1から本来的に第１の範囲１０９に及ぶべき光１０７ａは、図２６に示すように、遮光膜６７同士間の開口部９１を経て第３の範囲１１７に及ぶ。
また、第２カラーフィルタ８５を経て第２の画素７2に入射され、第２の画素７2から本来的に第２の範囲１１１に及ぶべき光１０７ｂは、遮光膜６７同士間の開口部９１を経て第４の範囲１１９に及ぶ。
【０１０９】
このとき、第１の画素７1に入射された光１０７ａは、図２６中のＮ部の拡大図である図２７に示すように、第１の画素７1を通るときに回折して回折光１２１ａを生じる。また、第２の画素７2に入射された光１０７ｂは、第２の画素７2を通るときに回折して回折光１２１ｂを生じる。回折光１２１ａは、前述した第１の範囲１０９よりも外側に広がる。回折光１２１ｂは、前述した第２の範囲１１１よりも外側に広がる。つまり、回折光１２１ａや回折光１２１ｂは、第１の画像と第２の画像とが重畳する範囲１１３を広げる方向に作用する。
【０１１０】
ところが、表示装置１００では、複数の画素７よりも表示面９側に複数の遮光膜６７が設けられているので、回折光１２１ａや回折光１２１ｂは、遮光膜６７によって吸収される。従って、表示装置１００では、第１の画像と第２の画像とが重畳する範囲１１３を軽減することができる。
【０１１１】
なお、表示装置１００において、カラーフィルタ７３が第１のフィルタに対応し、複数の遮光膜６７が第２のフィルタに対応し、第２カラーフィルタ８５が第３のフィルタに対応している。
第３実施形態における表示装置１００は、第１実施形態における表示装置１と同様の効果を奏する。なお、表示装置１００では、液晶１９よりも表示面９側にカラーフィルタ７３が位置し、液晶１９よりも底面２３側にＴＦＴ素子６１が位置する構成を例に説明したが、表示装置１００の構成はこれに限定されない。表示装置１００の構成としては、液晶１９よりも表示面９側にＴＦＴ素子６１が位置し、液晶１９よりも底面２３側にカラーフィルタ７３が位置する構成も採用され得る。
【０１１２】
ここで、第２カラーフィルタ８５が複数の画素７よりも底面２３側に設けられる他の例を、第４実施形態として説明する。
第４実施形態における表示装置２００は、表示装置２００を図１中のＡ−Ａ線の位置に相当する位置で切断したときの断面図である図２８に示すように、表示パネル６０と、照明装置５とを有している。表示パネル６０は、液晶パネル３０とカラーフィルタ基板１４とを有している。表示パネル６０では、カラーフィルタ基板１４は、対向基板１７よりも底面２３側で対向基板１７に対向した状態で設けられている。
【０１１３】
なお、表示装置２００は、表示パネル６０においてカラーフィルタ基板１４が対向基板１７よりも底面２３側に設けられていることを除いて、第２実施形態における表示装置１０と同様の構成を有している。従って、以下において、表示装置２００の各構成のうちで表示装置１０と同様の構成については、同一の符号を付して詳細な説明を省略する。
【０１１４】
表示パネル６０では、カラーフィルタ基板１４の第３基板８１は、図４中のＨ−Ｈ線における断面図である図２９に示すように、外向面８２ａが底面２３側に向けられ、対向面８２ｂが表示面９側に向けられている。そして、カラーフィルタ基板１４は、対向面８２ｂが対向基板１７に向けられた状態で、オーバーコート層８７が対向基板１７における第２基板６５の外向面６６ａに接着剤８９を介して貼り付けられている。
第２カラーフィルタ８５は、第３実施形態における第２カラーフィルタ８５（図２４参照）と同様に、Ｘ方向に隣り合う２つの画素群４３ごとに設けられている。
【０１１５】
表示装置２００では、照明装置５からの光は、各第２カラーフィルタ８５を経てから遮光膜６７同士間の開口部９１を経て、各画素７に入射される。
このとき、各第２カラーフィルタ８５を経て各開口部９１に至る光１４１ａ及び１４１ｂは、第２カラーフィルタ８５及び複数の遮光膜６７を模式的に示す断面図である図３０に示すように、各開口部９１を介して第１の範囲１０９及び第２の範囲１１１のそれぞれに及ぶ。
【０１１６】
複数の画素７が省略されている場合には、第１の範囲１０９からは、光１４１ａが視認され得る。第２の範囲１１１からは、光１４１ｂが視認され得る。つまり、表示装置２００では、複数の遮光膜６７は、第１の範囲１０９に及ぶ光１４１ａを通すとともに、第２の範囲１１１に及ぶ光１４１ｂを通す機能を有している。
【０１１７】
第２カラーフィルタ８５と開口部９１とを経て本来的に第１の範囲１０９に及ぶべき光１４１ａは、図３１に示すように、第１の画素７1を経て第３の範囲１１７に及ぶ。
また、第２カラーフィルタ８５と開口部９１とを経て本来的に第２の範囲１１１に及ぶべき光１４１ｂは、第２の画素７2を経て第４の範囲１１９に及ぶ。なお、図３１に示す断面は、図２９中のＱ−Ｑ線における断面に相当している。
【０１１８】
このとき、開口部９１を通る光１４１ａは、図３１中のＳ部の拡大図である図３２に示すように、開口部９１を通るときに回折して回折光１２１ａを生じる。また、開口部９１を通る光１４１ｂは、開口部９１を通るときに回折して回折光１２１ｂを生じる。回折光１２１ａは、前述した第１の範囲１０９よりも外側に広がる。回折光１２１ｂは、前述した第２の範囲１１１よりも外側に広がる。つまり、回折光１２１ａや回折光１２１ｂは、第１の範囲１０９と第２の範囲１１１とが重畳する範囲１１３を広げる方向に作用する。
【０１１９】
表示装置２００では、複数の遮光膜６７よりも表示面９側に複数の画素７が位置しているので、回折光１２１ａや回折光１２１ｂは、カラーフィルタ７３によって吸収される。従って、表示装置２００では、第１の範囲１０９と第２の範囲１１１とが重畳する範囲１１３を軽減することができる。
【０１２０】
なお、表示装置２００において、複数の遮光膜６７が第１のフィルタに対応し、カラーフィルタ７３が第２のフィルタに対応し、第２カラーフィルタ８５が第３のフィルタに対応している。
第４実施形態における表示装置２００は、第１実施形態における表示装置１と同様の効果を奏する。なお、表示装置２００では、液晶１９よりも表示面９側にＴＦＴ素子６１が位置し、液晶１９よりも底面２３側にカラーフィルタ７３が位置する構成を例に説明したが、表示装置２００の構成はこれに限定されない。表示装置２００の構成としては、液晶１９よりも表示面９側にカラーフィルタ７３が位置し、液晶１９よりも底面２３側にＴＦＴ素子６１が位置する構成も採用され得る。
【０１２１】
なお、表示装置１及び１００では、各遮光膜６７が、図８に示すように、Ｙ方向に沿って配列する複数組の画素群４３間にわたって一連して延びる場合を例に説明したが、各遮光膜６７はこれに限定されない。各遮光膜６７は、図３３に示すように、画素群４３ごとに独立した構成も採用され得る。
また、表示装置１０及び２００では、Ｘ方向に隣り合う画素群４３同士間に位置する各遮光膜６７が、図１７に示すように、Ｙ方向に沿って配列する複数組の画素群４３間にわたって一連して延びる場合を例に説明したが、各遮光膜６７はこれに限定されない。Ｘ方向に隣り合う画素群４３同士間に位置する各遮光膜６７は、図３４に示すように、Ｙ方向に沿って並ぶ複数の画素群４３間で、画素群４３ごとに独立した構成も採用され得る。
【０１２２】
また、表示装置１、１０、１００及び２００では、ＴＮ型の液晶１９を例に説明したが、液晶１９はこれに限定されず、ＦＦＳ（Fringe Field Switching）型、ＩＰＳ（In Plane Switching）型、ＶＡ（Vertical Alignment）型等の種々の型が採用され得る。
【０１２３】
また、表示装置１、１０、１００及び２００では、複数組の画素群４３が、図５に示すように、Ｘ方向及びＹ方向のそれぞれの方向に沿ってマトリクス状に配列した場合を例に説明したが、複数組の画素群４３の配列はこれに限定されない。複数組の画素群４３の配列は、例えば、図３５に示すように、Ｙ方向にシグザグに並んだ配列も採用され得る。図３５に示す配列の場合、図４に示す第１の画素７1と第２の画素７2とは、Ｘ方向に交互に並んでいるとともに、Ｙ方向にも交互に並んでいる。この場合、表示装置１及び１００では、各遮光膜６７は、図３６に示すように、画素群４３ごとに設けられる。
また、表示装置１０及び２００では、各遮光膜６７は、図３７に示すように、Ｘ方向に隣り合う画素群４３同士間ごとに設けられる。
【０１２４】
上述した表示装置１、１０、１００及び２００は、それぞれ、例えば、図３８に示す電子機器５００の表示部５１０に適用され得る。この電子機器５００は、カーナビゲーションシステム用の表示機器である。電子機器５００では、表示装置１、１０、１００又は２００が適用された表示部５１０によって、例えば、運転席側から第１の画像として地図などの画像が視認され、助手席側から第２の画像として映画などの画像が視認され得る。
【０１２５】
さらに、電子機器５００では、第１の画像と第２の画像とが重畳する範囲１１３の軽減が図られ、広い適視範囲１１５ａから第１の画像が視認され、広い適視範囲１１５ｂから第２の画像が視認され得る。
なお、電子機器５００としては、カーナビゲーションシステム用の表示機器に限られず、携帯電話機、モバイルコンピュータ、デジタルスチルカメラ、デジタルビデオカメラ、車載機器、オーディオ機器等の種々の電子機器が挙げられる。
【図面の簡単な説明】
【０１２６】
【図１】本発明の第１実施形態における表示装置の主要構成を示す分解斜視図。
【図２】図１中のＡ−Ａ線における断面図。
【図３】第１実施形態における複数の画素の一部を示す平面図。
【図４】第１実施形態における複数の画素の一部を示す平面図。
【図５】第１実施形態における複数組の画素群の配列を説明する平面図。
【図６】図４中のＣ−Ｃ線における断面図。
【図７】図６中のＤ−Ｄ線における断面図。
【図８】第１実施形態における遮光膜と画素群とを示す平面図。
【図９】第１実施形態における液晶並びにカラーフィルタ及び第２カラーフィルタを模式的に示す断面図。
【図１０】第１実施形態における表示装置の偏光状態を説明する図。
【図１１】第１実施形態における複数組の画素群及び複数の遮光膜を模式的に示す断面図。
【図１２】第１実施形態における複数組の画素群並びに複数の遮光膜及び第２カラーフィルタを模式的に示す断面図。
【図１３】第１実施形態における複数組の画素群並びに複数の遮光膜及び第２カラーフィルタを模式的に示す断面図。
【図１４】図１３中のＦ部の拡大図。
【図１５】第２実施形態における表示装置を図１中のＡ−Ａ線の位置に相当する位置で切断したときの断面図。
【図１６】図４中のＨ−Ｈ線における断面図。
【図１７】第２実施形態における遮光膜と画素群とを示す平面図。
【図１８】第２実施形態における複数組の画素群及び複数の遮光膜を模式的に示す断面図。
【図１９】第２実施形態における複数組の画素群並びに複数の遮光膜及び第２カラーフィルタを模式的に示す断面図。
【図２０】図１９中のＬ部の拡大図。
【図２１】第１実施形態における複数組の画素群及び複数の遮光膜を模式的に示す断面図。
【図２２】第３実施形態における表示装置を図１中のＡ−Ａ線の位置に相当する位置で切断したときの断面図。
【図２３】図４中のＣ−Ｃ線における断面図。
【図２４】第３実施形態における液晶並びにカラーフィルタ及び第２カラーフィルタを模式的に示す断面図。
【図２５】第３実施形態における第２カラーフィルタ及び複数の画素を模式的に示す断面図。
【図２６】第３実施形態における第２カラーフィルタ並びに複数の画素及び複数の遮光膜を模式的に示す断面図。
【図２７】図２６中のＮ部の拡大図。
【図２８】第４実施形態における表示装置を図１中のＡ−Ａ線の位置に相当する位置で切断したときの断面図。
【図２９】図４中のＨ−Ｈ線における断面図。
【図３０】第４実施形態における第２カラーフィルタ及び複数の遮光膜を模式的に示す断面図。
【図３１】第４実施形態における第２カラーフィルタ並びに複数の遮光膜及び複数の画素を模式的に示す断面図。
【図３２】図３１中のＳ部の拡大図。
【図３３】第１実施形態及び第３実施形態のそれぞれにおける遮光膜の他の例を示す平面図。
【図３４】第２実施形態及び第４実施形態のそれぞれにおける遮光膜の他の例を示す平面図。
【図３５】第１〜第４実施形態のそれぞれにおける複数組の画素群の配列の他の例を示す平面図。
【図３６】第１実施形態及び第３実施形態のそれぞれにおける遮光膜の他の例を示す平面図。
【図３７】第２実施形態及び第４実施形態のそれぞれにおける遮光膜の他の例を示す平面図。
【図３８】第１〜第４実施形態のそれぞれにおける表示装置を適用した電子機器の斜視図。
【図３９】従来技術の課題を説明する断面図。
【符号の説明】
【０１２７】
１，１０，１００，２００…表示装置、３，２０，４０，６０…表示パネル、７…画素、７1…第１の画素、７2…第２の画素、８…表示領域、９…表示面、１１，３０…液晶パネル、１４…カラーフィルタ基板、１５…駆動素子基板、１７…対向基板、１９…液晶、２３…底面、５１…第１基板、６５…第２基板、６７…遮光膜、６９…樹脂層、７３…カラーフィルタ、８１…第３基板、８５…第２カラーフィルタ、９１…開口部、１０９…第１の範囲、１１１…第２の範囲、１１３…範囲、１１５ａ，１１５ｂ…適視範囲、１１７…第３の範囲、１１９…第４の範囲、５００…電子機器、５１０…表示部、Ｍ…マトリクス。
【図１】
2009103953.tif 000003
【図２】
2009103953.tif 000004
【図３】
2009103953.tif 000005
【図４】
2009103953.tif 000006
【図５】
2009103953.tif 000007
【図６】
2009103953.tif 000008
【図７】
2009103953.tif 000009
【図８】
2009103953.tif 000010
【図９】
2009103953.tif 000011
【図１０】
2009103953.tif 000012
【図１１】
2009103953.tif 000013
【図１２】
2009103953.tif 000014
【図１３】
2009103953.tif 000015
【図１４】
2009103953.tif 000016
【図１５】
2009103953.tif 000017
【図１６】
2009103953.tif 000018
【図１７】
2009103953.tif 000019
【図１８】
2009103953.tif 000020
【図１９】
2009103953.tif 000021
【図２０】
2009103953.tif 000022
【図２１】
2009103953.tif 000023
【図２２】
2009103953.tif 000024
【図２３】
2009103953.tif 000025
【図２４】
2009103953.tif 000026
【図２５】
2009103953.tif 000027
【図２６】
2009103953.tif 000028
【図２７】
2009103953.tif 000029
【図２８】
2009103953.tif 000030
【図２９】
2009103953.tif 000031
【図３０】
2009103953.tif 000032
【図３１】
2009103953.tif 000033
【図３２】
2009103953.tif 000034
【図３３】
2009103953.tif 000035
【図３４】
2009103953.tif 000036
【図３５】
2009103953.tif 000037
【図３６】
2009103953.tif 000038
【図３７】
2009103953.tif 000039
【図３８】
2009103953.tif 000040
【図３９】
2009103953.tif 000041